(57)【要約】【課題】店舗側、技術者側、ユーザーにとってそれぞれの要望を叶える。【解決手段】管理サーバー２０は、予約処理テーブル１２０を備え、この予約処理テーブル１２０に複数のレンタル可能なシートを備える複数の店舗の各店舗オーナー９０の店舗オーナー端末５０からの利用可能情報と、複数の美容技術者７０のユーザー端末４０からの店舗、時間を指定したサービス提供可能情報と格納しておく。管理サーバー２０は、ユーザー端末４０からの、店舗、エリア、利用時間、美容技術者を指定した検索処理を行い、ユーザー端末４０に検索結果を送信し、ユーザー８０は店舗、利用日時、美容技術者を指定する。【選択図】図５
2018185692.tif 000002
【特許請求の範囲】
【請求項１】
サービス拠点におけるサービススペースごとに、前記サービススペースの使用日時、前記サービススペースでサービスを提供するサービス提供者、及び前記サービススペースでサービスを受けるサービス利用者の登録管理を行う管理サーバーと、
前記管理サーバーにネットワークを介して接続可能であり、複数の前記サービス提供者がそれぞれ使用する複数のサービス提供者端末と、
前記管理サーバーに接続可能であり、複数の前記サービス利用者がそれぞれ使用する複数のサービス利用者端末と、
を備え、
前記管理サーバーは、
前記サービス拠点における前記サービススペースのスケジュールを格納する予約処理テーブルと、
前記サービス提供者端末から送信された前記サービス提供者がサービス提供可能な日時、前記サービス拠点を特定するサービス可能情報を受け付け、予約処理テーブルに格納する手段と、
前記サービス利用者端末から送信された前記サービス利用者がサービスを希望する日時、前記サービス提供者、及び前記サービス拠点を特定するサービス希望情報を受け付ける手段と、
前記予約処理テーブルの情報に基づいて、前記サービス拠点の前記サービススペースにおける、サービスの実施日時、前記サービス提供者及び前記サービス利用者の割り当て処理を行う手段と、
前記割り当て処理の結果を前記サービス提供者端末及び前記サービス利用者端末に伝送する手段と、
を備えることを特徴とするサービス提供管理システム。
【請求項２】
前記管理サーバーは、前記サービス利用者から指定された日時、前記サービス拠点、及び前記サービス提供者のうちの少なくとも一つに基づいて前記サービス拠点、前記サービス提供者の登録情報を検索する手段と、検索結果を前記サービス利用者端末に送出する手段とを備えることを特徴とする請求項１に記載のサービス提供管理システム。
【請求項３】
前記サービス拠点は、地域ごとにグループ化されており、前記管理サーバーは、サービス利用者からしてされた地域のサービス拠点を検索することを特徴とする請求項１に記載のサービス提供管理システム。
【請求項４】
前記管理サーバーにネットワークを介して接続可能であり、前記サービス拠点を提供するサービス拠点提供者が使用するサービス拠点提供者端末を備え、
前記管理サーバーは、前記サービス提供者端末からサービス可能な前記サービス拠点、前記サービススペースが利用可能な状態についての情報を受け付け、前記予約処理テーブルに登録することを特徴とする請求項１に記載のサービス提供管理システム。
【請求項５】
前記管理サーバーは、前記サービス提供者がサービス提供可能な前記サービス拠点、日時についての情報を取得し、
前記サービス利用者端末からの前記サービス提供者、利用日時、前記サービス拠点に基づく検索依頼に基づいて検索処理を行い、取得した情報を前記サービス利用者端末に送出し、
前記サービス利用者端末からの指定に基づいて前記サービス拠点、利用日時、前記サービス提供者を決定することを特徴とする請求項１に記載のサービス提供管理システム。
【請求項６】
前記サービス利用者端末は、前記サービス拠点、前記サービス提供者についての評価情報を送出可能であり、前記管理サーバーは前記評価情報を格納する手段と、この評価情報を前記サービス提供者端末及び前記サービス利用者端末に公開する手段と、を備えることを特徴とする請求項１に記載のサービス提供管理システム。
【発明の詳細な説明】
【技術分野】
【０００１】
本発明は、貸しスペースを備える店舗のオーナー、この店舗のスペースを借りてサービスを行う技術者、前記サービスの利用者の３者間のスケジュール調整を行うサービス提供管理システムに関する。
【背景技術】
【０００２】
美容業において、通信ネットワークを利用して店舗、美容技術者、利用者の利便を図るシステムが提供されている。
【０００３】
特許文献１には、店舗設備を所有し、その賃貸事業を行う第１主体と、前記店舗設備の一部を賃借し、個人事業主として商品販売又は役務提供を行う第２主体と、第１及び第２主体間の契約の仲介、経営の診断及び指導、会計処理の支援その他の管理支援業務を行い、かつ、第１及び第２主体をフランチャイズチェーンの傘下に統合する第３主体から構成され、コンピュータを含む情報通信技術を導入して協働的な事業運営を行うようにしたネットワーキング・システムにおいて、各主体にそれぞれコンピュータを所持させ、該コンピュータ間を通信回線網を介して接続し、少なくとも第２主体の事業活動を保障し、かつ、その運営をネットワーキングにより支援するようにした業態管理支援システムが記載されている。
【０００４】
また特許文献２には、通信ネットワークに端末及び管理サーバーが接続され、前記端末を通じて一般利用客からの紹介の希望があったとき、端末上から管理サーバーへ一般利用客の希望内容と簡単な個人プロフィールを入力してもらい、自身が保有する美容技術者の登録会員の個人データーを記録したデーターベースを参照し、登録会員である美容技術者と一般利用客のデーターマッチングを行うステップと、一般利用客の希望があれば、予め用意された相性診断プログラムによってのデーターマッチングを行うステップと、この結果の中から希望条件に合った登録会員の美容技術者を紹介するステップと、一般利用客がこの中から気に入った美容技術者がいて、美容を行う意思があれば、再び予約の日時を端末上から入力し、これを管理サーバーが登録会員に連絡して、日時が決まれば双方の同時紹介を行う美容技術者紹介システムが記載されている。
【先行技術文献】
【特許文献】
【０００５】
【特許文献１】特開２００６−３３８０７１号公報
【特許文献２】特開２００８−９６７５号公報
【発明の概要】
【発明が解決しようとする課題】
【０００６】
近年、美容業においては、「ミラーレンタル」や「面貸し」と称されるシステムが採用される。このシステムは、美容室側が鏡や椅子等を含む一部のスペースを、フリーランスで活動する美容師に提供し、美容師は提供されたスペースにおいて自己の顧客にサービスを行って対価を得、美容室側に設備を借りた対価として売り上げの一部を支払うものである。
【０００７】
このようなシステムでは、一つの美容室における複数のスペースを複数の美容師が割り振って使用することになる。このようなシステムにおいて、美容サービスを受ける顧客は、希望する美容師に自己の便がよい美容室で希望の日時に美容サービスを受けたいという要望があり、また、美容師は自分自身の予定で仕事をしたいという要望があり、さらに店舗の所有者は店舗スペースを空けることなく使用してもらいたいという要望がある。
【０００８】
本発明は上述した課題に鑑みてなされたものであり、店舗側、技術者側、ユーザーにとってそれぞれの要望を叶えることができるサービス提供管理システムを提供することを目的とする。
【課題を解決するための手段】
【０００９】
前記課題を解決する請求項１に記載の発明は、サービス拠点におけるサービススペースごとに、前記サービススペースの使用日時、前記サービススペースでサービスを提供するサービス提供者、及び前記サービススペースでサービスを受けるサービス利用者の登録管理を行う管理サーバーと、前記管理サーバーにネットワークを介して接続可能であり、複数の前記サービス提供者がそれぞれ使用する複数のサービス提供者端末と、前記管理サーバーに接続可能であり、複数の前記サービス利用者がそれぞれ使用する複数のサービス利用者端末と、を備え、前記管理サーバーは、前記サービス拠点における前記サービススペースのスケジュールを格納する予約処理テーブルと、前記サービス提供者端末から送信された前記サービス提供者がサービス提供可能な日時、前記サービス拠点を特定するサービス可能情報を受け付け、予約処理テーブルに格納する手段と、前記サービス利用者端末から送信された前記サービス利用者がサービスを希望する日時、前記サービス提供者、及び前記サービス拠点を特定するサービス希望情報を受け付ける手段と、前記予約処理テーブルの情報に基づいて、前記サービス拠点の前記サービススペースにおける、サービスの実施日時、前記サービス提供者及び前記サービス利用者の割り当て処理を行う手段と、前記割り当て処理の結果を前記サービス提供者端末及び前記サービス利用者端末に伝送する手段と、を備えることを特徴とするサービス提供管理システムである
本発明によれば、管理サーバーは、サービス提供者端末から送信されたサービス提供可能な日時及びサービス拠点を特定するサービス可能情報を受け付け、サービス利用者端末からサービスを希望する日時、サービス提供者、及びサービス拠点を特定するサービス希望情報を受け付け、これらを予約処理テーブルに収納し、この予約処理テーブルに基づいて、サービス拠点のサービススペースにおける、サービスの実施日時、サービス提供者及びサービス利用者の割り当て処理を行い、割り当て処理の結果を前サービス提供者端末及びサービス利用者端末に伝送する。
よって、サービス利用者は、自己の希望する日時において希望するサービス拠点で希望するサービス提供者のサービスを受けることができる。また、サービス提供者はサービスを提供可能な日時においてサービスを実施可能なサービス拠点でサービスを提供することができる。さらにサービス拠点提供者は効率的なサービス拠点及びサービススペースの利用を図ることができる。
【００１０】
同じく請求項２に記載の発明において、前記管理サーバーは、前記サービス利用者から指定された日時、前記サービス拠点、及び前記サービス提供者のうちの少なくとも一つに基づいて前記サービス拠点、前記サービス提供者の登録情報を検索する手段と、検索結果を前記サービス利用者端末に送出する手段とを備えることを特徴とする。
本発明によれば、管理サーバーは、サービス利用者から指定された日時、サービス拠点、及び前記サービス提供者のうちの少なくとも一つに基づいてサービス拠点、サービス提供者の登録情報を検索してその検索結果を前記サービス利用者端末に送出する。
よって、サービス利用者は、自己の希望する日時、サービス拠点、及びサービス提供者を選択してサービスを受けることができる。
【００１１】
同じく請求項３に記載の発明において、前記サービス拠点は、地域ごとにグループ化されており、前記管理サーバーは、サービス利用者から指定された地域のサービス拠点を検索することを特徴とする。
本発明によれば、サーバー装置は、サービス利用者から指定された地域におけるサービス拠点を抽出する。
よって、サービス利用者は自己の都合のよい地域におけるサービス拠点を選択することができる。
【００１２】
同じく請求項４に記載の発明において、前記管理サーバーにネットワークを介して接続可能であり、前記サービス拠点を提供するサービス拠点提供者が使用するサービス拠点提供者端末を備え、前記管理サーバーは、前記サービス提供者端末からサービス可能な前記サービス拠点、前記サービススペースが利用可能な状態についての情報を受け付け、前記予約処理テーブルに登録することを特徴とする。
本発明によれば、サービス提供管理システムには、管理サーバーにネットワークを介して接続可能であり、サービス拠点を提供するサービス拠点提供者が使用するサービス拠点提供者端末を備え、管理サーバーは、サービス提供者端末からサービス可能なサービス拠点、サービススペースが利用可能な状態についての情報を受け付けることができる。
よって、サービス拠点提供者がサービス拠点の各サービス提供スペースについて、使用の可否を決定できる。
【００１３】
同じく請求項５に記載の発明において、前記管理サーバーは、前記サービス提供者がサービス提供可能な前記サービス拠点、日時についての情報を取得し、前記サービス利用者端末からの前記サービス提供者、利用日時、前記サービス拠点に基づく検索依頼に基づいて検索処理を行い、取得した情報を前記サービス利用者端末に送出し、前記サービス利用者端末からの指定に基づいて前記サービス拠点、利用日時、前記サービス提供者を決定することを特徴とする。
本発明によれば、管理サーバーは、サービス利用者端末からのサービス提供者、利用日時、サービス拠点に基づく検索依頼に基づいて予約処理テーブルの検索処理を行い、ヒットした情報をサービス利用者端末に送出し、サービス利用者端末からの指定に基づいてサービス拠点、利用日時、サービス提供者を決定する。
よって、サービス利用者は、サービス利用者端末で自己の希望する日時、サービス拠点、及びサービス提供者を検索し、その結果により所望の日時、サービス拠点、サービス提供者によるサービスを受けることができる。
【００１４】
同じく請求項６に記載の発明は、前記サービス利用者端末は、前記サービス拠点、前記サービス提供者についての評価情報を送出可能であり、前記管理サーバーは前記評価情報を格納する手段と、この評価情報を前記サービス提供者端末及び前記サービス利用者端末に公開する手段と、を備えることを特徴とする。
本発明によれば、サービス利用者端末からは、各サービス拠点、各サービス提供者についての評価情報が送出され、管理サーバーにより評価情報が格納され、この評価情報がサービス提供者端末及びサービス利用者端末に公開される。
よって、サービス利用者及びサービス提供者は、各サービス拠点、サービス提供者についての評価情報を取得できる。
【発明の効果】
【００１５】
本発明に係るサービス提供管理システムによれば、サービス拠点側、サービス提供者側、サービス利用者にとってそれぞれの要望を叶えることができる。即ち、サービス利用者は、自己の希望する日時において希望するサービス拠点で希望するサービス提供者のサービスを受けることができる。また、サービス提供者はサービスを提供可能な日時においてサービスを実施可能なサービス拠点でサービスを提供することができる。さらにサービス拠点提供者は効率的なサービス拠点及びサービススペースの利用を図ることができる。
また、このシステムは２４時間稼働可能であり、可能であれば２４時間いつでもサービス拠点でサービスを提供することができ、サービス拠点の利用効率を高めることができる。
【００１６】
即ち、請求項１に記載のサービス提供管理システムによれば、管理サーバーは、サービス提供者端末から送信されたサービス提供可能な日時及びサービス拠点を特定するサービス可能情報を受け付け、サービス利用者端末からサービスを希望する日時、サービス提供者、及びサービス拠点を特定するサービス希望情報を受け付け、これらを予約処理テーブルに収納し、この予約処理テーブルに基づいて、サービス拠点のサービススペースにおける、サービスの実施日時、サービス提供者及びサービス利用者の割り当て処理を行い、割り当て処理の結果を前サービス提供者端末及びサービス利用者端末に伝送する。このため、サービス利用者は、自己の希望する日時において希望するサービス拠点で希望するサービス提供者のサービスを受けることができる。また、サービス提供者はサービスを提供可能な日時においてサービスを実施可能なサービス拠点でサービスを提供することができる。さらにサービス拠点提供者は効率的なサービス拠点及びサービススペースの利用を図ることができる。
【００１７】
また、請求項２に記載のサービス提供管理システムによれば、管理サーバーは、サービス利用者から指定された日時、サービス拠点、及び前記サービス提供者のうちの少なくとも一つに基づいてサービス拠点、サービス提供者の登録情報を検索してその検索結果を前記サービス利用者端末に送出するので、サービス利用者は、自己の希望する日時、サービス拠点、及びサービス提供者を選択してサービスを受けることができる。
【００１８】
また、請求項３に記載のサービス提供管理システムによれば、管本発明によれば、サーバー装置は、サービス利用者から指定された地域におけるサービス拠点を抽出するので、サービス利用者は自己の都合のよい地域におけるサービス拠点を選択することができる。
【００１９】
また、請求項４に記載のサービス提供管理システムによれば、サービス提供管理システムには、管理サーバーにネットワークを介して接続可能であり、サービス拠点を提供するサービス拠点提供者が使用するサービス拠点提供者端末を備え、管理サーバーは、サービス提供者端末からサービス可能なサービス拠点、サービススペースが利用可能な状態についての情報を受け付けることができ、サービス拠点提供者がサービス拠点の各サービス提供スペースについて、使用の可否を決定できる。
【００２０】
また、請求項５に記載のサービス提供管理システムによれば、管理サーバーは、サービス利用者端末からのサービス提供者、利用日時、サービス拠点に基づく検索依頼に基づいて予約処理テーブルの検索処理を行い、ヒットした情報をサービス利用者端末に送出し、サービス利用者端末からの指定に基づいてサービス拠点、利用日時、サービス提供者を決定するので、サービス利用者は、サービス利用者端末で自己の希望する日時、サービス拠点、及びサービス提供者を検索し、その結果により所望の日時、サービス拠点、サービス提供者によるサービスを受けることができる。
【００２１】
さらに、請求項６に記載のサービス提供管理システムによれば、サービス利用者端末からは、各サービス拠点、各サービス提供者についての評価情報が送出され、管理サーバーにより評価情報が格納され、この評価情報がサービス提供者端末及びサービス利用者端末に公開されるので、サービス利用者及びサービス提供者は、各サービス拠点、サービス提供者についての評価情報を取得できる。
【図面の簡単な説明】
【００２２】
【図１】本発明の実施形態に係るサービス提供管理システムにおける管理サーバー、各端末、サービス拠点、シートの配置状態を示す模式図である。
【図２】同サービス提供管理システムの全体構成を示すブロック図である。
【図３】同サービス提供管理システムの管理サーバーの構成の一例を示すブロック図である。
【図４】同サービス提供管理システムの管理サーバーにおける予約処理テーブルの構成を示す模式図であるである。
【図５】同サービス提供管理システムの処理状態を示すフローチャートである。
【発明を実施するための形態】
【００２３】
本発明を実施するための形態に係るサービス提供管理システムについて説明する。本実施形態において、サービス提供管理システムは、貸しスペースを備える美容院店舗のオーナー、この店舗の一部を借りて美容サービスを行う個人事業者である美容師、この美容サービスの利用者の３者間のスケジュールの調整を行うものである。なお、本発明が適用されるサービスは美容サービスに限らず、例えばネイルサロン、まつげサロン、その他、貸しスペース及びこの貸しスペースでサービスを行う技術者によるサービスの提供管理に適用できる。
【００２４】
まず、サービス提供管理システム２００の全体構成について説明する。図１は本発明の実施形態に係るサービス提供管理システムにおける各端末、サービス拠点、シートの配置状態を示す模式図、図２は同サービス提供管理システムの全体構成を示すブロック図である。
【００２５】
図１に示すように、サービス提供管理システム２００は、サービス拠点である複数箇所（Ｎ箇所）の美容院である店舗１００（１００−１〜１００−Ｎ）を管理対象とする。店舗１００は、所定の地域（エリア）ごとにグループ化することができる。エリアをしていうすることで所定の地域の店舗を指定することができる。
【００２６】
この店舗１００−１〜１００Ｎには、レンタル用のサービススペースであるシートが各複数配置されている。ここで、店舗１００−１には、ｎ１台のシート１１１−１、１１１−２、…、１１１−ｎ１、店舗１００−２には、ｎ２台のシート１１２−１〜１１２−ｎ２、…、店舗１００−Ｎには、ｎＮ台のシート１１Ｎ−１、…、１１Ｎ−２、…、１１Ｎ−ｎＮが配置されている。
【００２７】
店舗１００−１〜１００―Ｎは、それぞれ異なる店舗オーナー９０（９０−１〜９０−Ｎ）が所有し管理しているものとする。なお、店舗オーナーは複数の店舗を所有するものとしてもよい。また、このサービス提供管理システム２００には、複数（ｍ人）のサービス提供者である美容技術者７０（７０−１〜７０−ｍ）が登録されて管理されている。さらに、サービス提供管理システム２００では、複数（Ｍ人）のサービス利用者であるユーザー８０（８０−１〜８０−Ｍ）が利用するものとする。
【００２８】
また、美容技術者７０−１〜７０−ｍは、それぞれ技術者端末３０−１〜３０−ｍを使用し、各店舗オーナー９０−１〜９０−Ｎは、それぞれ店舗オーナー端末５０−１〜５０−Ｎを使用し、ユーザー８０−１は、それぞれユーザー端末４０−１〜４０−Ｍを使用する。
【００２９】
サービス提供管理システム２００は、図２に示すように、管理サーバー２０、上述した技術者端末３０−１〜３０−ｍ、ユーザー端末４０−１〜４０−Ｍ、店舗オーナー端末５０−１〜５０−Ｎを、インターネット、携帯電話網等のネットワーク１０を介して管理サーバー２０に接続可能である。
【００３０】
技術者端末３０−１〜３０−ｍからは、美容技術者の基本情報、サービス提供対応可能なエリア、店舗、対応できる日時、時間帯、対応できる技術分野を登録することができる。即ち、技術者端末３０−１〜３０−ｍからは美容技術者７０−１〜７０−ｍが上述した情報を特定するサービス可能情報が送信される。
【００３１】
また、店舗オーナー端末５０−１〜５０−Ｎからは店舗オーナー９０−１〜９０―Ｎがレンタルできる店舗及びシートについての情報である利用可能情報が送信される。この利用可能情報には、店舗の住所、連絡先、貸し出し可能時間帯が含まれる。
【００３２】
さらに、ユーザー端末４０−１〜４０−Ｍからは、空き状態の店舗、シート、希望する美容技術者、希望日時を設定できる。即ち、ユーザー端末４０−１〜４０−Ｍからは、ユーザー８０−１〜８０Ｍが美容サービスを受けたい日時、店舗、美容技術者を指定でき、これらを検索する旨を管理サーバー２０に指定するサービス希望情報が送信される。
【００３３】
なお、以下、枝番号の区別をせず技術者端末３０−１〜３０−ｍ、ユーザー端末４０−１〜４０−Ｍ、店舗オーナー端末５０−１〜５０−Ｎ、美容技術者７０−１〜７０−Ｍ、ユーザー８０−１〜８０−Ｍ、店舗オーナー９０−１〜９０−Ｎを説明するとき、単に技術者端末３０、ユーザー端末４０、店舗オーナー端末５０、美容技術者７０、ユーザー８０、店舗オーナー９０という。
【００３４】
ここで、管理サーバー２０は、サービス提供管理システム２００の管理者が管理する。この管理サーバー２０は、各店舗１００−１〜１００Ｎにおける各シート１１１−１〜１１１−ｎ１、シート１１２−１〜１１２−ｎ２、…、シート１１Ｎ−１、…、１１Ｎ−２、…、１１Ｎ−ｎＮのスケジュールを管理する。また、管理サーバー２０は、技術者端末３０−１〜３０−ｍから送信されたサービス可能情報を受け付ける手段と、ユーザー端末４０−１〜４０―Ｍからのサービス希望情報を受け付ける。
【００３５】
そして、管理サーバー２０は、店舗１００−１〜１００−Ｎにおけるシートの使用情報、サービス可能情報及びサービス希望情報に基づいて、店舗のシートにおける美容サービスの実施日時、美容技術者及びユーザー割り当て処理を行う。さらに、管理サーバー２０は、この割り当て処理の結果を、指定された技術者端末及び指定したユーザー端末に伝送する。
【００３６】
また管理サーバー２０は、ユーザー端末から指定された日時、店舗、及び美容技術者のうちの少なくとも一つに基づいて店舗、美容技術者の登録情報を検索する。管理サーバー２０は、この検索結果をユーザー端末に送出する。
【００３７】
図３は同サービス提供管理システムの管理サーバーの構成の一例を示すブロック図である。管理サーバー２０は、管理会社６０に配置されて管理されている。管理サーバー２０は、通信制御部２１、店舗オーナー設定受付処理部２２、サービス可能情報受付処理部２３、ユーザー希望情報受付処理部２４、割当処理部２５、検索処理部２６、及び予約処理テーブル１３０を含んで構成される。
【００３８】
通信制御部２１は、ネットワーク１０を介して技術者端末３０、ユーザー端末４０、店舗オーナー端末５０との通信を制御する。通信制御部２１は、具体的には、サービス提供管理システムのホームページにおいて入力画面、情報表示画面を表示して技術者端末３０、ユーザー端末４０、店舗オーナー端末５０からの情報を受け付ける。また、同様に技術者端末３０、ユーザー端末４０、店舗オーナー端末５０に情報を提示する。
【００３９】
店舗オーナー設定受付処理部２２は、店舗オーナー端末５０からの利用可能情報を受け付ける。サービス可能情報受付処理部２３は、技術者端末３０からのサービス可能情報を受け付ける。ユーザー希望情報受付処理部２４は、ユーザー端末４０からのユーザー希望情報を受け付ける。
【００４０】
割当処理部２５は、店舗オーナー設定受付処理部２２、サービス可能情報受付処理部２３からの情報を予約処理テーブル１３０に格納する。検索処理部２６は、ユーザー希望情報受付処理部２４からのユーザー希望情報に基づいて予約処理テーブル１３０を検索して、ユーザー８０の希望に合致するエリア、店舗、時間帯、技術者についての情報を取得する。取得した情報は通信制御部２１からユーザー端末４０に送出する。
【００４１】
具体的には、管理サーバー２０は、制御装置としてＣＰＵ(Central Processing Unit)、主記憶装置としてＲＡＭ（RandomAccess Memory）、ＲＯＭ（Read  Only  Memory）、補助記憶装置としてハードディスクドライブ（ＨＤＤ）等を備えた公知の構成を備えたコンピュータとして構成される。管理サーバー２０は、アプリケーションソフトとしてインストールされたプログラムを処理することにより上述した各部の機能を実現する。
【００４２】
また、技術者端末３０、ユーザー端末４０、店舗オーナー端末５０は、例えばスマートフォン、タブレットＰＣ（personal computer）等の携帯端末装置である。携帯端末は、制御装置としてＣＰＵ(Central Processing Unit)、主記憶装置としてＲＡＭ（RandomAccess Memory）、ＲＯＭ（Read Only Memory）、補助記憶装置としてＳＳＤ（Solid state Drive）、入力手段としてタッチパネル、画像表示手段として液晶表示装置等を備えた公知の構成を備える。
【００４３】
各端末は、それぞれの端末用のアプリケーションソフトとしてインストールされたプログラムを処理することにより各端末装置の機能を実現する。即ち、技術者端末３０、ユーザー端末４０、店舗オーナー端末５０は、ｉＯＳ（登録商標）、ＡＮＤＲＯＩＤ（登録商標）、ＷＩＮＤＯＷＳ（登録商標）等をＯＳ（Operating System）として動作し、ウエブブラウザソフトにより液晶表示装置に管理サーバー２０の通信制御部２１が提供するホームページを表示し、このホームページの入力欄にタッチパネルにより情報を入力する。
【００４４】
次に予約処理テーブル１３０について説明する。図４は同サービス提供管理システムの管理サーバーにおける予約処理テーブルの構成を示す模式図である。この予約処理テーブル１３０は、各稼働日における店舗１００−１の各シート１１１−１〜１１１―ｎについての０時〜２４時までの使用状態をシートテーブル１４０−１〜シートテーブル１４０−ｎで管理する。なお、予約処理テーブル１３０には、店舗１００−１の他に、店舗１００−２〜店舗１００−Ｎに対応する同様の構成を備えた、シートテーブルを格納している。この予約処理テーブルは、各稼働日について各店舗について設けられる。
【００４５】
この例では、店舗１００−１の第１シート１１１―１は、店舗オーナー端末５０−１からの設定により、１２時〜１４時は使用不可とされており、６時〜１２時は美容技術者ａ、美容技術者ｂのサービス提供が可能、１４時〜２３時は美容技術者ａ、美容技術者ｃのサービス提供が可能である旨が登録されている。
【００４６】
次にサービス提供管理システム２００の処理について説明する。図５は同サービス提供管理システムの処理状態を示すフローチャートである。本実施形態において、管理サーバー２０は、技術者端末３０から美容技術者７０がサービス提供可能な店舗１００、日時についての情報を取得し、ユーザー８０がユーザー端末４０により管理サーバー２０に希望店舗、美容技術者及びサービス希望日時に基づく検索依頼を送出し、管理サーバー２０がこの依頼に基づいて検索処理を行い、取得した情報をユーザー端末４０に送出し、このユーザー端末４０からのからの指定に基づいてサービス拠点、利用日時、前記サービス提供者を決定する。また、管理サーバー２０は、ユーザー８０からの店舗評価、技術評価について書き込みができ、これを公表する。さらに、管理サーバー２０はユーザー８０が支払った料金を店舗オーナー９０に割り振る処理をする。
【００４７】
サービス提供管理システム２００の稼働に際しては、まず、店舗オーナー端末５０から、管理サーバー２０にサービス可能な店舗と日時を登録する（ステップＳＤ１）。登録される店舗としては、２４時間営業の無人型と、美容技術者が常駐する有人店舗の両者がある。有人店舗の場合、常駐する美容技術者が使用するシートは予約済み（使用不可）として登録される。
【００４８】
管理サーバー２０は、店舗オーナー端末５０からの登録を受けて、予約処理テーブル１３０における各店舗の各シートの予約状態を更新する（ステップＳＢ１）。この状態で、美容技術者７０は、技術者端末３０から管理サーバー２０に登録を申請する（ステップＳＣ１）。これにより、管理サーバー２０は、美容技術者７０の登録を受け付ける（ステップＳＢ２）。また、このとき料金の支払い登録を確認する。
【００４９】
そして、登録が２４時間無人店舗になされた場合、管理サーバー２０を管理する管理会社６０から店舗の鍵、例えばカードキーが美容技術者７０に送付され（ステップＳＢ３）、技術者端末３０は施錠カードを受け取る（ステップＳＣ２）。美容技術者７０は、サービス可能な日時、店舗を登録する（ステップＳＣ３）。この状態で予約処理テーブル１３０は、図４中のシートテーブル１４０−１のような状態となる。
【００５０】
この状態で、サービス提供管理システム２００はユーザー８０の利用が可能な状態になる。ユーザー８０は、ユーザー端末４０から管理サーバー２０に接続して、利用日時、店舗、美容技術者を指定して予約処理テーブル１３０を検索する指示を発する（ステップＳＡ１）。この指示を受け、管理サーバー２０は、ユーザー８０が指示した利用日時、店舗、美容技術者により予約処理テーブル１３０を検索し（ステップＳＢ４）、検索結果をユーザー端末４０に送出する（ステップＳＢ５）。
【００５１】
ユーザー端末４０は管理サーバー２０からの検索結果を受信して表示し（ステップＳＡ２）、ユーザー８０は、検索結果からユーザー端末４０から管理サーバー２０にサービス希望日、店舗、美容技術者を予約指示する。管理サーバー２０はこの予約指示を受け付け、予約処理テーブル１３０に予約設定する（ステップＳＢ６）。さらに管理サーバー２０は、予約指示された美容技術者７０に日時、店舗についての情報を送出する（ステップＳＢ７）。技術者端末３０では、この予約された日時、店舗についての情報を受信して表示する（ステップＳＣ４）。
【００５２】
美容技術者７０は、この表示を見て、技術者端末３０から受任する旨を管理サーバー２０に送信する（ステップＳＣ５）。管理サーバー２０は、受任を受信し（ステップＳＢ８）、ユーザー端末４０に予約受付確認を送信する（ステップＳＢ９）。ユーザー端末４０では予約受付を受信して表示する（ステップＳＡ４）。これによりユーザー８０の予約処理は完了する。
【００５３】
次いで、管理サーバー２０は、テーブル１２０の各店舗、各シートの予約状況を更新する（ステップＳＢ１０）。さらに、有人店舗の利用である場合には、店舗オーナー端末５０に利用時間を連絡する（ステップＳＤ２）。
【００５４】
以下、店舗における実際の手順を説明する。美容技術者７０は指定時間の前に、店舗に赴き、施錠カードを提示して（ステップＳＣ６）で利用店舗の施錠を解除する（ステップＳＢ１１）。ユーザー８０は店舗に来店し（ステップＳＡ５）美容技術者７０の美容サービスを受ける。サービス終了後、ユーザー８０は、美容技術者７０に料金を支払う。
【００５５】
サービス完了後、ユーザー８０は、美容技術者７０から提供されたサービスの評価、即ち店舗の評価、美容技術者の評価をユーザー端末４０から管理サーバー２０に書き込むことができる（ステップＳＡ６）。書き込まれた評価は、管理サーバー２０の共有ページに表示され（ステップＳＢ１２）、技術者端末３０、ユーザー端末４０、店舗オーナー端末５０から閲覧できる。
【００５６】
さらに、管理サーバー２０から技術者端末３０に利用サービスの金額を請求し（ステップＳＢ１３）、技術者端末３０は請求金額を受信する。この金額は事前登録されたクレジットカードで決済され（ステップＳＢ１４）、使用した店舗の店舗オーナー９０に利用料として入金される（ステップＳＤ３）。これにより、一連の処理は終了する
【００５７】
以上のように、本実施形態に係るサービス提供管理システム２００によれば、店舗オーナー、美容技術者、ユーザーそれぞれの要望を叶えることができる。即ち、ユーザーは、サービス利用者は、自己の希望する日時において希望するエリアや店舗で希望する美容技術者のサービスを受けることができる。また、美容技術者はサービスを提供可能な日時においてサービスを実施可能なエリアや店舗でサービスを提供することができる。さらに店舗オーナーは効率的なサービス拠点及びサービススペースの利用を図ることができる。また、サービス提供管理システム２００は２４時間稼働可能であり、店舗側、美容技術者が対応可能であれば２４時間いつでも店舗でサービスを提供することができ、店舗の利用効率を高め、美容技術者のサービス提供の機会を増すことができる。
【００５８】
なお、上記実施形態では、ユーザーが登録された情報を検索して店舗及び美容技術者を指定したが、先にユーザーが日時、店舗、美容技術者を指定登録し、技術者がその情報に基づいてサービス提供ができるか設定するものとできる。
【産業上の利用可能性】
【００５９】
本発明に係るサービス提供管理システムによれば、サービス拠点側、技術者側、ユーザーにとってそれぞれの要望を叶えることができ、美容業、ネイルサロン業、その他の技術者がサービススペースをレンタルしてサービスを提供するサービス業において利用可能である。
【符号の説明】
【００６０】
１０：ネットワーク
２０：管理サーバー
３０：技術者端末（サービス提供者端末）
４０：ユーザー端末（サービス利用者端末）
５０：店舗オーナー端末（サービス拠点提供者端末）
６０：管理会社
７０：美容技術者（サービス提供者）
８０：ユーザー（サービス利用者）
９０：店舗オーナー（サービス拠点提供者）
１００：店舗（サービス拠点）
１１１  シート
１３０  予約処理テーブル
１４０：予約処理テーブル
２００：サービス提供管理システム
【図１】
2018185692.tif 000003
【図２】
2018185692.tif 000004
【図３】
2018185692.tif 000005
【図４】
2018185692.tif 000006
【図５】
2018185692.tif 000007